(57)【要約】【課題】簡単に封緘して、確実な不正開封防止効果を得ることができ、製造コストも抑制できる保安封緘箱を提供する。【解決手段】基部をヒンジとする閉止板１４に差込片１５を連設し、差込片１５をスリット状の差込穴１６に差し込んで閉止板１４をロックする保安封緘箱において、前記差込片１５に、閉止板１４との境界へ至る係止穴１７を穿設すると共に、差込穴１６の端縁に、ヒンジ線１８ａを介して係止舌片１８を突設し、前記差込穴１６への差込片１５の差し込みに伴い、係止舌片１８がヒンジ線１８ａでの折れ曲がりに対する反発により係止穴１７に嵌まり込み、係止穴１７と係止舌片１８の側縁同士が係合して、差込穴１６の長さ方向への差込片１５のずれが防止されるようにする。【選択図】図５
2017001718.tif 000002
【特許請求の範囲】
【請求項１】
基部をヒンジとする閉止板(14)に差込片(15)を連設し、差込片(15)をスリット状の差込穴(16)に差し込んで閉止板(14)をロックする保安封緘箱において、
前記差込片(15)に、閉止板(14)との境界へ至る係止穴(17)を穿設すると共に、差込穴(16)の端縁に、ヒンジ線(18a)を介して係止舌片(18)を突設し、
前記差込穴(16)への差込片(15)の差し込みに伴い、係止舌片(18)がヒンジ線(18a)での折れ曲がりに対する反発により係止穴(17)に嵌まり込み、係止穴(17)と係止舌片(18)の側縁同士が係合して、差込穴(16)の長さ方向への差込片(15)のずれが防止されるようにしたことを特徴とする保安封緘箱。
【請求項２】
基部をヒンジとする閉止板(14)に差込片(15)を連設し、差込片(15)をスリット状の差込穴(16)に差し込んで閉止板(14)をロックする保安封緘箱において、
前記閉止板(14)の先端部と差込片(15)の境界を跨ぐ２本の切目線間に係止帯部(20)を形成し、係止帯部(20)に閉止板(14)と差込片(15)の境界よりも差込片(15)側へずれた幅方向の山折線(20a)を入れ、差込片(15)の表面側が沿う壁部に、差込穴(16)から切り込んで係止凹所(21)を形成し、
前記閉止板(14)からの差込片(15)の折り曲げに伴い、係止帯部(20)が山折線(20a)を軸に屈曲して差込片(15)の表面から突出し、差込穴(16)への差込片(15)の差し込みに伴い、係止帯部(20)が係止凹所(21)に嵌まり込み、係止帯部(20)と係止凹所(21)の側縁同士が係合して、差込穴(16)の長さ方向への差込片(15)のずれが防止されるようにしたことを特徴とする保安封緘箱。
【発明の詳細な説明】
【技術分野】
【０００１】
この発明は、不正な開封を防止して包装物へのいたずらを防止する保安封緘箱に関するものである。
【背景技術】
【０００２】
不正な開封を防止する機能を備えた保安封緘箱として、下記特許文献１には、図１２に示すようなものが記載されている。
【０００３】
この保安封緘箱は、トレイ状の身箱を形成する前壁５１、一対の側壁５２、後壁５３及び底板５４，５５を備え、前壁１の上端に額縁部を形成する前頂板５６及び前内板５７を順次連設し、側壁５２の上端に内側へ折り曲げる受止片５８，５９を連設し、後壁５３の上端に起伏に伴い開閉する閉止板６０を連設した構成とされている。
【０００４】
そして、閉止板６０の先端に差込片６１を連設し、前頂板５６にスリット状の差込穴６２を形成すると共に、前壁５１を切り込んだヒンジ片６３の先端に係止片６４を連設し、差込片６１の基部に係止穴６５を穿設して、封緘する際、差込片６１を差込穴６２に差し込み、ヒンジ片６３の揺動に伴い、係止片６４を係止穴６５に差し込むものとしている。
【０００５】
これにより、差込片６１の基部両側の段部６１ａが差込穴６２の両端縁に係合して、差込片６１が差込穴６２から抜け止めされると共に、係止片６４の基部両側の段部６４ａが係止穴６５の両端縁に係合して、係止片６４が係止穴６５から抜け止めされ、閉止板６０が開けられないようにロックされる。
【０００６】
また、この保安封緘箱では、ヒンジ片６３の先端中間部に、係止片６４への切込により指掛片６３ａが突設され、差込片６１の基部に、係止穴６５の閉止板６０側の端縁に凹所６５ａが、他方の端縁に突片６５ｂがそれぞれ形成され、係止片６４を係止穴６５に差し込むと、起立した指掛片６３ａの抜出穴に突片６５ｂが嵌合して、係止片６４が係止穴６５からより確実に抜け止めされ、さらに、指掛片６３ａが凹所６５ａに係合して、保形性が高められるようになっている。
【先行技術文献】
【特許文献】
【０００７】
【特許文献１】特許第５０６９００９号公報
【発明の概要】
【発明が解決しようとする課題】
【０００８】
しかしながら、上記のような保安封緘箱は、高額な電子機器等の包装を想定したものであり、複雑な多重ロックを採用していることから、封緘作業に若干手間がかかるほか、製造コストが割高となり、日用品等の包装には適していないという問題がある。
【０００９】
そこで、この発明は、簡単に封緘して、確実な不正開封防止効果を得ることができ、製造コストも抑制できる保安封緘箱を提供することを課題とする。
【課題を解決するための手段】
【００１０】
上記課題を解決するため、この発明は、基部をヒンジとする閉止板に差込片を連設し、差込片をスリット状の差込穴に差し込んで閉止板をロックする保安封緘箱において、前記差込片に、閉止板との境界へ至る係止穴を穿設すると共に、差込穴の端縁に、ヒンジ線を介して係止舌片を突設し、前記差込穴への差込片の差し込みに伴い、係止舌片がヒンジ線での折れ曲がりに対する反発により係止穴に嵌まり込み、係止穴と係止舌片の側縁同士が係合して、差込穴の長さ方向への差込片のずれが防止されるようにしたのである。
【００１１】
また、基部をヒンジとする閉止板に差込片を連設し、差込片をスリット状の差込穴に差し込んで閉止板をロックする保安封緘箱において、前記閉止板の先端部と差込片の境界を跨ぐ２本の切目線間に係止帯部を形成し、係止帯部に閉止板と差込片の境界よりも差込片側へずれた幅方向の山折線を入れ、差込片の表面側が沿う壁部に、差込穴から切り込んで係止凹所を形成し、前記閉止板からの差込片の折り曲げに伴い、係止帯部が山折線を軸に屈曲して差込片の表面から突出し、差込穴への差込片の差し込みに伴い、係止帯部が係止凹所に嵌まり込み、係止帯部と係止凹所の側縁同士が係合して、差込穴の長さ方向への差込片のずれが防止されるようにしたのである。
【発明の効果】
【００１２】
この発明に係る保安封緘箱では、差込片を差込穴に差し込むだけで、係止舌片が係止穴に嵌まり込み、又は係止帯部が係止凹所に嵌まり込んで、差込穴の長さ方向への差込片のずれが防止され、閉止板のロック状態が維持されるので、封緘に手間をかけることなく、確実な不正開封防止効果を得ることができ、構造も簡単であることから、製造コストが高くなることもない。
【図面の簡単な説明】
【００１３】
【図１】この発明の第１実施形態に係る保安封緘箱のブランクを示す図
【図２】同上の折畳状態を示す斜視図
【図３】同上の組立過程を示す斜視図
【図４】同上の封緘状態を平置姿勢で示す斜視図
【図５】同上の封緘状態を立置姿勢で示す斜視図
【図６】図５のVI−VI断面図
【図７】同上の開封状態を平置姿勢で示す斜視図
【図８】この発明の第２実施形態に係る保安封緘箱のブランクを示す図
【図９】同上の封緘状態を平置姿勢で示す斜視図
【図１０】同上の封緘状態を立置姿勢で示す斜視図
【図１１】図１０のXI−XI断面図
【図１２】特許文献１に記載の保安封緘箱の閉蓋過程を示す斜視図
【発明を実施するための形態】
【００１４】
まず、この発明の第１実施形態を図１〜図７に基づいて説明する。
【００１５】
この保安封緘箱は、例えば、通信販売される食品や薬品等の商品を配送用に包装するものであり、図１に示すような段ボール製のブランクから形成される。このブランクでは、長方形状の底壁１の周囲各辺のうち、一対の短辺に側壁２が連設され、一方の長辺に前壁３、前頂板４、前内板５及び底重板６が順次連設され、他方の長辺に後壁７及び天壁８が順次連設されている。底重板６の先端縁は、抉れるように湾曲し、その中央部には摘み片６ａが突設されている。
【００１６】
側壁２と前壁３の側端同士は折込片９を介して連結され、折込片９には、底壁１の角から斜め４５°の折目線９ａが入れられている。折目線９ａは、押罫と切目とが交互断続するリード罫とされている。
【００１７】
後壁７の両側端には、それぞれ貼付片１０が連設されている。側壁２の先端には受止片１１が連設され、側壁２から受止片１１にかけて、貼付片１０の基部寄りの角から斜め４５°の折目線１２が入れられている。折目線１２は、段ボールの表面側から入れた逆罫とされている。天壁８の両側端には、それぞれ天内板１３が連設されている。
【００１８】
天壁８の先端には、先細り形状の閉止板１４が連設され、その先端には差込片１５が連設されている。差込片１５の基部両側には、切込により段部１５ａが形成されている。
【００１９】
前壁３の底壁１との境界に沿った部分には、底壁１から両端部が切れ込むように少し曲がった切目線を入れて、組立時にスリット状に開く差込穴１６が形成されている。
【００２０】
そして、差込片１５には、閉止板１４との境界沿いの中央部に、長方形状の係止穴１７が穿設され、差込穴１６の切目線に沿った端縁中央部には、前壁３から底壁１へのコ字状の切込により、ヒンジ線１８ａを介して係止舌片１８が突設されている。
【００２１】
また、閉止板１４の先端部には、差込片１５との境界に沿って、鉤状の切目が断続するジッパ型の２本の切目線１９ａに挟まれた引裂帯１９が設けられている。
【００２２】
このブランクから保安封緘箱を製造する際には、図２に示すように、両側の側壁２及び折込片９を底壁１及び前壁３の裏面側へ折り曲げ、折込片９の折目線９ａより前壁３寄り部分の裏面を前壁３の端部裏面に糊貼りする。また、両側の天内板１３を天壁８の裏面側へ折り曲げて糊貼りする。
【００２３】
続いて、側壁２及び受止片１１を折目線１２を軸に谷折り方向へ折り返し、貼付片１０を後壁７の裏面側へ折り曲げ、後壁７を底壁１の裏面側へ重ねるように折り曲げて、側壁２の折返部分の裏面と貼付片１０の表面とを糊貼りする。
【００２４】
このように折り重ねて糊貼りし、偏平な折畳状態としておくと、保安封緘箱を使用する業者へ納入する際、嵩張ることがない。
【００２５】
一方、この保安封緘箱を組み立てて商品を包装する際には、図３に示すように、底壁１から後壁７を起立させると、両側の側壁２が折目線１２での折り曲げが伸ばされて立ち上がり、これに伴い、折目線９ａを軸に屈曲する折込片９に引っ張られ、前壁３も立ち上がる。その後、前頂板４及び前内板５を巻き込むように折り曲げ、前壁３と前内板５の間に折込片９を挟み込んで、底重板６を底壁１に重ね合わせ、トレイ状の身箱を形成する。
【００２６】
このとき、係止舌片１８は、ヒンジ線１８ａを軸に前壁３から折り曲げて、底壁１の内側へ押し込む。
【００２７】
この状態で、上面の開口部から箱内に商品を収納し、図４に示すように、側壁２から受止片１１を内側水平方向へ折り曲げ、天壁８を伏倒させ、閉止板１４を前壁３の表面に重なるように基部をヒンジとして折り曲げ、差込片１５を閉止板１４から折り曲げて、差込穴１６に差し込むと、差込片１５の段部１５ａが差込穴１６の端縁に係合し、閉止板１４が開放できないようにロックされた状態となり、封緘が完了する。
【００２８】
ここで、差込片１５を差込穴１６に差し込む際、係止舌片１８は、差込片１５に押されて、差込片１５の通過を許容するが、差込片１５が完全に差込穴１６に差し込まれると、ヒンジ線１８ａでの折れ曲がりに対する反発により、係止舌片１８は係止穴１７に嵌まり込み、係止穴１７と係止舌片１８の側縁同士が係合する。
【００２９】
このように封緘すると、閉止板１４が不意に開くことがないので、図５に示すように、底壁１が垂直に起立し、前壁３が上方で水平となった立置姿勢で配送することもできる。なお、この封緘状態における封緘部の断面構造は、図６に示すような状態となっている。
【００３０】
そして、この封緘状態では、不正開封しようとする者が、図５に矢印で示したように、閉止板１４側と底壁１側とを反対方向へずらすような力を加えて、差込片１５の段部１５ａと差込穴１６の端縁との係合を解除しようとしても、係止穴１７と係止舌片１８の側縁同士が係合していることから、差込穴１６の長さ方向への差込片１５のずれが防止され、差込片１５の段部１５ａと差込穴１６の端縁との係合によるロック状態を解除することができず、確実な不正開封防止効果を得ることができる。
【００３１】
このような保安封緘箱で包装された商品を購入者が取り出す際には、引裂帯１９を引っ張って切目線１９ａを破断させ、図７に示すように、閉止板１４と差込片１５とを分離すると、平置状態で、天壁８を開いて天面を開放し、商品を取り出すことができる。
【００３２】
その後、不要となった保安封緘箱を廃棄する際には、摘み片６ａを摘まんで引き上げると、前壁３と前内板５による折込片９の挟持が解除されるので、偏平な状態に戻して、廃棄することができる。
【００３３】
次に、この発明の第２実施形態を図８〜図１１に基づいて説明する。なお、ここでは、上記第１実施形態と相違する封緘部に関して述べるに留める。
【００３４】
この保安封緘箱のブランクでは、図８に示すように、閉止板１４の先端部と差込片１５の境界を跨ぐ２本の切目線間に係止帯部２０が形成され、係止帯部２０に閉止板１４と差込片１５の境界よりも差込片１５側へずれた幅方向の山折線２０ａが入れられている。山折線２０ａは、段ボールの裏面側から押圧した押罫とされ、係止帯部２０の端部は、谷折り方向へ折れ曲がるように、閉止板１４側が引裂帯１９の切目線１９ａとされ、差込片１５側が切目入りの押罫とされている。また、底壁１の前壁３との境界に臨む部分には、差込穴１６からの切込により、方形状の係止凹所２１が形成されている。
【００３５】
このような保安封緘箱を組み立てて封緘すると、全体形状を図９及び図１０にそれぞれ平置姿勢及び立置姿勢で示し、封緘部の断面構造を図１１に示すように、閉止板１４からの差込片１５の折り曲げに伴い、係止帯部２０が山折線２０ａを軸に屈曲して差込片１５の表面から突出し、差込穴１６への差込片１５の差し込みに伴い、係止帯部２０が係止凹所２１に嵌まり込み、係止帯部２０と係止凹所２１の側縁同士が係合して、差込穴１６の長さ方向への差込片１５のずれが防止される。
【００３６】
このため、不正開封しようとする者が、図１０に矢印で示したように、閉止板１４側と底壁１側とを反対方向へずらすような力を加えて、差込片１５の段部１５ａと差込穴１６の端縁との係合を解除しようとしても、係止帯部２０と係止凹所２１の側縁同士が係合していることから、差込穴１６の長さ方向への差込片１５のずれが防止され、差込片１５の段部１５ａと差込穴１６の端縁との係合によるロック状態を解除することができず、確実な不正開封防止効果を得ることができる。
【００３７】
なお、上記実施形態では、天壁８の先端に連設した閉止板１４を前壁３の表面に重ね、閉止板１４の先端に連設された差込片１５を、前壁３の底壁１との境界に沿った差込穴１６に差し込む形式のものを例示したが、天壁８が閉止板１４となり、その先端に連設された差込片１５を、前頂板４に形成された差込穴１６に差し込んで封緘する一般的な差込封緘形式の箱のほか、箱全体における閉止板１４の位置や開閉構造に関わらず、また、差込穴１６の位置に関わらず、閉止板１４に連設した差込片１５を、スリット状の差込穴１６に差し込んで閉止板１４をロックする種々の形式の箱において、上記のような不正開封防止構造を採用することができる。
【符号の説明】
【００３８】
１  底壁
２  側壁
３  前壁
４  前頂板
５  前内板
６  底重板
６ａ  摘み片
７  後壁
８  天壁
９  折込片
９ａ  折目線
１０  貼付片
１１  受止片
１２  折目線
１３  天内板
１４  閉止板
１５  差込片
１５ａ  段部
１６  差込穴
１７  係止穴
１８  係止舌片
１８ａ  ヒンジ線
１９  引裂帯
１９ａ  切目線
２０  係止帯部
２０ａ  山折線
２１  係止凹所
【図１】
2017001718.tif 000003
【図２】
2017001718.tif 000004
【図３】
2017001718.tif 000005
【図４】
2017001718.tif 000006
【図５】
2017001718.tif 000007
【図６】
2017001718.tif 000008
【図７】
2017001718.tif 000009
【図８】
2017001718.tif 000010
【図９】
2017001718.tif 000011
【図１０】
2017001718.tif 000012
【図１１】
2017001718.tif 000013
【図１２】
2017001718.tif 000014